(57)【要約】  【課題】  ディスクカートリッジにおいて、センターコアに固定された可撓性を有するディスク状の情報記録媒体の外周側にあるデータ領域に歪みが発生するのを防止する。【解決手段】  ロータリシャッター７の情報記録媒体５に対向する対向面に、ロータリシャッター７と一体成形された凸部７Ｕｃが設けられており、凸部７Ｕｃに情報記録媒体５に付着した汚れを除去するためのライナーＬが貼り付けられている。【選択図】  図４
2005267740.tif 000002
【特許請求の範囲】
【請求項１】
扁平なハウジング内にディスク状の情報記録媒体を回転自在に収容してなるディスクカートリッジであって、前記ハウジングが、ディスクドライブが備えている記録再生ヘッドを前記情報記録媒体の表面にアクセスさせるための開口部と、該開口部を開閉するロータリシャッターとを備えたディスクカートリッジにおいて、
該ロータリシャッターの前記情報記録媒体に対向する対向面に、該ロータリシャッターと一体成形された凸部が設けられており、
該凸部に前記情報記録媒体に付着した汚れを除去するためのライナーが貼り付けられていることを特徴とするディスクカートリッジ。
【請求項２】
前記凸部が、前記ロータリシャッターの径方向に延びていることを特徴とする請求項１に記載のディスクカートリッジ。
【発明の詳細な説明】
【技術分野】
【０００１】
本発明は、可撓性を有するディスク状の情報記録媒体を収容したディスクカートリッジに関するものであり、特に、インサート成形したセンターコアを用いたディスクカートリッジに関するものである。
【背景技術】
【０００２】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１参照。）。この小型ディスクカートリッジは、たとえば幅５０ｍｍ、奥行き５５ｍｍ、厚さ１．９５ｍｍの扁平な金属薄板からなる上下シェルを備えたハウジング内に、４０ＭＢの記憶容量を有する直径約１．８インチ（４６．５ｍｍ）の磁気ディスクからなる情報記録媒体を回転自在に収容したものである。
【０００３】
上述したディスクカートリッジにおいて、磁気ディスクに塵埃等が付着するといわゆるドロップアウトの原因となる。ドロップアウトの問題は、磁気ディスクの記録密度がより高いほど発生しやすくなる。そこで、ディスクカートリッジは、磁気ディスクに付着した塵埃を取り除き、その表面をクリーンな状態に維持することを目的として、ケース内の情報記録媒体に対向する内面にライナーが取り付けられた構造を有している。従来の磁気ディスクカートリッジにおいて、ライナーは磁気ディスクに接触する表面が起毛状態になっている材料から形成されており、そのような表面が回転する磁気ディスクに接触し、付着している塵埃等を表面部分で払拭、捕捉するようになっている。
【特許文献１】特開２００２−５０１５１号公報
【発明の開示】
【発明が解決しようとする課題】
【０００４】
ところで、近年、パーソナルコンピュータやＰＤＡ、デジタルカメラ等のモバイル機器に使用するディスクカートリッジとして、ディスクカートリッジの小型化および記憶容量の大容量化（たとえば１ＧＢ）ととともに、ディスクカートリッジを記録再生するための低消費電力化が求められている。低消費電力化を図る方法としてディスクカートリッジに収容された磁気ディスクを低トルクで回転させる方法があり、磁気ディスクを低トルクで回転させるためには、磁気ディスクとライナーとの摺動抵抗を小さくすることが考えられる。しかし、磁気ディスクとライナーとの摺動抵抗を小さくしてしまうと、磁気ディスクの表面に付着したゴミが十分に払拭することができず、記録再生エラーが生じてしまうという問題がある。
【０００５】
そこで、本発明は、情報記録媒体に付着した汚れを確実に除去することができるとともに、情報記録媒体を回転駆動する際の省電力化を図ることができるディスクカートリッジを提供することを目的とするものである。
【課題を解決するための手段】
【０００６】
本発明のディスクカートリッジは、扁平なハウジング内にディスク状の情報記録媒体を回転自在に収容してなるディスクカートリッジであって、ハウジングが、ディスクドライブが備えている記録再生ヘッドを情報記録媒体の表面にアクセスさせるための開口部と、開口部を開閉するロータリシャッターとを備えたディスクカートリッジにおいて、ロータリシャッターの情報記録媒体に対向する対向面に、ロータリシャッターと一体成形された凸部が設けられており、凸部に情報記録媒体に付着した汚れを除去するためのライナーが貼り付けられていることを特徴とするものである。
【０００７】
ここで、凸部は、ロータリシャッターと一体成形されたものであればその形成方法は問わず、たとえばロータリシャッターの外面を凹ませることにより対向面に凸部を設けるようにしてもよいし、ロータリシャッターを成形する際に予め対向面に凸部を設けるようにしてもよい。
【０００８】
また、凸部は、ロータリシャッターと一体成形されたものであればその形成位置は問わず、たとえばロータリシャッターの開口部付近に設けられていてもよい。
【０００９】
また、凸部は、対向面から情報記録媒体側へ突出したものであればその形状および数は問わず、たとえばロータリシャッターの内周側から外周側へ径方向に延びたものが単数もしくは複数設けられていてもよいし、点状の凸部が複数設けられていてもよい。
【００１０】
ここで、凸部が内周側から外周側へ径方向に延びたものであるとき、ロータリシャッターの内周側から外周側に向かって同一の高さを有するものであってもよいし、内周側の高さと外周側の高さとが異なっているものであってもよい。
【００１１】
また、凸部は、ロータリシャッターの情報記録媒体の表裏にそれぞれ対向する２つの対向面にそれぞれ設けられていてもよいし、いずれか一方の対向面にのみ設けられていてもよい。凸部がロータリシャッターの２つの対向面にそれぞれ設けられている場合、２つの対向面に設けられた凸部が対向するように設けられていてもよいし、一方の対向面の凸部の配置位置と他方の対向面の凸部の配置位置とをずらして設けるようにしてもよい。
【００１２】
また、ライナーは少なくとも凸部に貼り付けられていればよく、たとえば凸部のみに貼り付けられていてもよいし、凸部を含む対向面の全体に貼り付けられていてもよい。
【発明の効果】
【００１３】
本発明のディスクカートリッジによれば、ロータリシャッターが、情報記録媒体に対向する対向面に一体成形された、対向面から情報記録媒体側へ突出した凸部を有するものであり、凸部に情報記録媒体に付着した汚れを除去するためのライナーが貼り付けられていることにより、凸部が形成された対向面において凸部上にあるライナーが部分的に情報記録媒体に接触するようになるため、情報記録媒体に付着した汚れを確実に除去することができるとともに、情報記録媒体が回転する際に必要なトルクを小さくすることができ、情報記録媒体が回転駆動する際の省電力化を図ることができる。
【００１４】
なお、凸部が、ロータリシャッターの径方向に延びていれば、情報記録媒体の内周側から外周側にわたってライナーと情報記録媒体とが接触するようになるため、情報記録媒体の全体にわたり付着した汚れを確実に除去することができる。
【発明を実施するための最良の形態】
【００１５】
以下、本発明のディスクカートリッジの実施の形態について、図面を参照して詳細に説明する。図１は本発明のディスクカートリッジが用いられるディスクカートリッジの一例を示す図である。なお、図１（ａ）、（ｂ）にそのロータリシャッター７が閉状態にある平面図および底面図をそれぞれ示している。
【００１６】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。
【００１７】
ハウジングは、ディスクドライブの磁気ヘッドを情報記録媒体５の表面にアクセスさせるためのＶ字状の開口部６と、この開口部６を開閉するためのロータリシャッター７とを備えている。そして、ディスクドライブが情報記録媒体５に対して情報の記録再生を行うときには、ロータリシャッター７が開き、開口部６から磁気ヘッドが挿入されるようになっている。一方、ディスクドライブから取り出されたときに開口部６から埃等が入り込まないようにするため、ロータリシャッター７が閉じて開口部６を塞ぐようになっている。
【００１８】
さらに、ハウジングの下シェル４には、情報記録媒体５のセンターコア１０を外部に臨ませる円形の中心孔４ａと、ロータリシャッター７と同心的な円弧状溝４ｂとが形成され、ロータリシャッター７には、上記円弧状溝４ｂから突出し、かつこの円弧状溝４ｂに沿って移動してロータリシャッター７を開閉するシャッタノブ７ｂが固設されている。そして、ディスクカートリッジ１がディスクドライブに装填されたときに、ディスクドライブの回転駆動源が中心孔４ａから露出したセンターコア１０を保持し、情報記録媒体５を回転駆動させるようになっている。
【００１９】
情報記録媒体５は、たとえばプラスチックフィルムに磁性材を塗布した可撓性を有する磁気ディスクであって、ハウジング内に回転自在に収容されている。情報記録媒体５は、中心部にセンターコア１０を有しており、情報記録媒体５の中心部の下面にセンターコア１０の上面１０ａが接着部材を用いて固定されている。この接着部材は、たとえばアクリル系等の接着剤をポリエチレンテレフタレート（ＰＥＴ）や不織布等からなる基材の両面に塗布したものである。
【００２０】
図２は本発明のディスクカートリッジにおけるセンターコア１０の周辺部位を示す模式図である。図２のロータリシャッター７は互いに係合された上シャッタ部材７Ｕと下シャッタ部材７Ｄとからなっている。上シャッタ部材７Ｕは、上シェル３の下面から内方へ突出する小径の円筒体３ａによって回転可能に軸支され、かつ円筒体３ａの先端には、上シャッタ部材７Ｕの円筒体３ａからの抜出しを防止するためのセンタピンと呼ばれる抜止め部材９が溶接されている。一方、下シャッタ部材７Ｄは、下シェル４の中心孔４ａの外縁にカシメ加工を施すことにより回転可能に軸支されている。
【００２１】
また、上下シャッタ部材７Ｕ、７Ｄが情報記録媒体５と対向する対向面にはライナーＬ、Ｌがそれぞれ貼り付けられている。図２においてはライナーＬ、Ｌは上下シャッタ部材７Ｕ、７Ｄの対向面全体にわたりそれぞれ貼り付けられている。このライナーＬ、Ｌは、情報記録媒体５と接触することにより、情報記録媒体５に付着した汚れを除去するものであって、たとえばポリエステルやポリエステル等からなる不織布からなっている。
【００２２】
図３はロータリシャッター７の外観の一例を示す斜視図を示している。図３において上シャッタ部材７Ｕは、ロータリシャッター７ロータリシャッター７と一体成形された複数の凸部７Ｕｃを有する。具体的には、凸部７Ｕｃは、シャッタ部材７Ｕをたとえばプレス加工等により外面を凹ませることにより、対向面側から突出した構造を有している。この凸部７Ｕｃは、ロータリシャッター７の径方向に延びた線状に形成されており、内周側から外周側まで同一の高さを有している。
【００２３】
ここで、上下シャッタ部材７Ｕ、７Ｄの対向面全体にわたりライナーＬ、Ｌがそれぞれ貼り付けられているため、複数の凸部７ＵｃにもライナーＬが貼り付けられている。上シャッタ部材７Ｕの対向面に固定されたライナーＬにおいては、ライナーＬの全体が情報記録媒体５に接触するのではなく、各凸部７Ｕｃ上のライナーＬが情報記録媒体５に接触して汚れを除去するようになっている。
【００２４】
具体的には、図４に示すように、情報記録媒体５が回転する厚み方向の内部空間量が複数の凸部７Ｕｃが形成されている領域において小さくなっており、上シャッタ部材７Ｕの対向面に貼り付けられたライナーＬが凸部７Ｕｃの形成領域において部分的に情報記録媒体に接触していることになっている。これにより、上シャッタ部材７Ｕに貼り付けられたライナーＬによる回転抵抗が小さくなり、確実に情報記録媒体５に付着した汚れを除去しながら、情報記録媒体５を回転駆動させる際の必要トルクを低く抑えることができる。また、凸部７Ｕｃを径方向に延びるように設けることにより、凸部７Ｕｃ上のライナーＬ、Ｌが情報記録媒体５の全データ記録領域にわたって汚れを除去することができるようになる。
【００２５】
なお、図３と図４においては下シャッタ部材７Ｄ側には凸部７Ｕｃは形成されておらず対向面は平坦になっているため、下シャッタ部材７Ｄに貼り付けられたライナーＬは全体的に情報記録媒体５に接触するようになっている。
【００２６】
本発明の実施の形態は上記実施の形態に限定されない。たとえば、図３において、凸部７Ｕｃが内周側から外周側まで同一の高さを有する場合について例示しているが、ロータリシャッター７の内周側と外周側とでは異なる高さを有するようにしてもよい。たとえば、凸部７Ｕｃを内周側の高さよりも外周側の高さを大きくして情報記録媒体５を回転させるのに必要なトルクを小さくすることができ、もしくは凸部７Ｕｃを内周側の高さよりも外周側の高さを小さくして情報記録媒体５のデータ記録領域の除塵性を高めることができる。
【００２７】
また、図３と図４のロータリシャッター７において、凸部７Ｕｃは上シャッタ部材７Ｕにのみ設けられている場合について例示しているが、下シャッタ部材７Ｄ側にのみ設けるようにしてもよいし、図５に示すように、上シャッタ部材７Ｕのみならず下シャッタ部材７Ｄにも凸部７Ｄｃを複数設けるようにしてもよい。このとき、図５のように、凸部７Ｕｃと７Ｄｃとが対向するように設けてもよいし、図６（ｂ）に示すように凸部７Ｕｃと７Ｄｃとの形成位置をずらすようにしてもよい。なお、図５においては、図３のようにロータリシャッター７を外面から凹ませることにより凸部７Ｕｃを形成するのではなく、外面は平坦にして対向面に凸部７Ｕｃ、７Ｄｃを形成するような形態を示している。
【００２８】
さらに、凸部７Ｕｃの形成位置は図３や図４に示す位置または数に限定されず、たとえば図６（ａ）に示すように、開口部７ａに１つの凸部７Ｕｃまたは凸部７Ｄｃを設けるようにしてもよい。
【００２９】
また、図１および図３において、凸部７Ｕｃはロータリシャッター７の径方向に延びている線状のものについて例示しているが、斑点状に設けるようにしてもよい。さらに、図２においてライナーＬ、Ｌは上シャッタ部材７Ｕおよび下シャッタ部材７Ｄの全面にわたって固定されている場合について例示しているが、凸部７Ｕｃ（７Ｄｃ）上にのみライナーＬ、Ｌを設けるようにしてもよい。
【図面の簡単な説明】
【００３０】
【図１】本発明のディスクカートリッジの好ましい実施の形態におけるロータリシャッターが閉状態にある状態を示す平面図および底面図
【図２】図１のディスクカートリッジにおけるセンターコア周辺部位を示す断面図
【図３】図１のディスクカートリッジにおけるロータリシャッターの外観の一例を示す斜視図
【図４】図３のロータリシャッターにおける凸部周辺部位を示す断面図
【図５】図１のディスクカートリッジにおけるロータリシャッターの別の実施の形態を示す断面
【図６】図１のディスクカートリッジにおけるロータリシャッターの別の実施の形態を示す平面図
【符号の説明】
【００３１】
１     ディスクカートリッジ
５     情報記録媒体
７     ロータリシャッター
７Ｄ   下シャッタ部材
７Ｕ   上シャッタ部材
７ａ   開口部
７Ｕｃ、７Ｄｃ 凸部
Ｌ     ライナー
【図１】
2005267740.tif 000003
【図２】
2005267740.tif 000004
【図３】
2005267740.tif 000005
【図４】
2005267740.tif 000006
【図５】
2005267740.tif 000007
【図６】
2005267740.tif 000008